(57)【要約】【課題】本発明は、従来の引き出し等の抜き出し作業の危険性、それに伴う機器類の破損等を改善し、収納方向へのロック解除は、ロック解除プレートを利用して、引き出し等の手前側でおこなうことにより、指詰め等を回避し、引き出し方向へのロック解除の姿勢で、移動側レールと共に引き出し等を固定側レール（家具本体等）から抜き出しても、引き出し等の荷重を十分に支えきれる、安全作業が自然に行えるロック解除機能を有するスライドレールを提供することを課題とする。【解決手段】移動側メンバーのスライド動作をロックするロック部材と、該ロック部材のロックを解除するロック解除プレートを有するスライドレールにおいて、ロック解除プレートは、引き出し方向の端部が操作されても、引き出し等の収納方向へのロックのみしか解除できない構成とし、引き出し方向へのロック解除は、ロック部材を指先で直接操作する構成としたものである。【選択図】図８
2010220901.tif 000002
【特許請求の範囲】
【請求項１】
移動側メンバーのスライド動作をロックするロック部材と、該ロック部材のロックを解除するロック解除プレートを有するスライドレールにおいて、ロック解除プレートは、引き出し方向の端部が操作されても、引き出し等の収納方向へのロックのみしか解除できない構成とし、引き出し方向へのロック解除は、ロック部材を指先で直接操作する構成としたことを特徴とするロック解除機能を有するスライドレール。
【請求項２】
ロック解除プレートは、移動側メンバーの引き出し側端部と面一となるまで引き出し側端部が押し込まれても、引き出し等の引き出し方向へのロックは解除できない構成としたこと特徴とする請求項１に記載のロック解除機能を有するスライドレール。
【請求項３】
ロック解除プレートは、最も押し込まれた状態であっても、引き出し等の引き出し方向へのロックは解除できない移動量に構成されていることを特徴とする請求項１に記載のロック解除機能を有するスライドレール
【発明の詳細な説明】
【技術分野】
【０００１】
本発明は、引き出し、あるいは、機器類を本体側から所定の位置まで完全に引き出した状態で、引き出し方向にも、又、収納方向にも移動しないロック機能を有し、引き出し、あるいは、機器類の手前側で、必要に応じて容易にロックを解除することができるロック解除機能を有するスライドレールに関するものである。
【背景技術】
【０００２】
従来、ロック解除機能を有するスライドレールは、固定側メンバーと、移動側メンバーと、該固定側メンバーと移動側メンバー間に多数のボールを保持しながら配置されるボールリテーナーとからなるスライドレールと、前記固定側メンバーの長手方向端部に設けられた係合突起と、端部が前記移動側メンバーに固定される共に前記固定側メンバー側に弾性力により付勢されているロック用プレートを有し、前記係合突起と前記ロック用プレートに設けられた係合凹部を嵌め合うことにより、該スライドメンバーのスライド動作をロックする機構を有するスライドレールにおいて、前記ロック機構のロックを解除するロック解除プレートは一端に前記ロック用プレートの前端に形成された傾斜面に係合する傾斜面が形成され、他端前記支持プレートの長手方向端部から突出し、該突出部を押圧することにより、前記ロック機構の係合凹部と係合突起の嵌め合わせを解除するものであった。
【０００３】
すなわち、ロック解除プレートを操作するとロック機構の係合凹部と係合突起の嵌め合わせを解除するから、引き出しあるいは機器類を本体側から引き出すと、固定側メンバーから移動側メンバーが抜け出すと同時に、引き出しあるいは機器類の荷重が手元に付加される。
この時、ロック解除プレートを引き出しあるいは機器類の手前側で操作しているので、引き出しあるいは機器類の荷重を手元で支えきれず落下させることとなり、非常に危険であるばかりか、機器類を破損させる事もあった。
【先行技術文献】
【特許文献】
【０００４】
【特許文献１】特許第４０２２１０９号公報
【発明の概要】
【発明が解決しようとする課題】
【０００５】
本発明は、従来の引き出し等の抜き出し作業の危険性、それに伴う機器類の破損等を改善し、収納方向へのロック解除は、ロック解除プレートを利用して、引き出し等の手前側でおこなうことにより、指詰め等を回避し、引き出し方向へのロック解除の姿勢で移動側レールと共に引き出し等を固定側レール（家具本体等）から抜き出しても、引き出し等の荷重を十分に支えきれる、自然に安全作業が可能なロック解除機能を有するスライドレールを提供することを課題とする。
【課題を解決するための手段】
【０００６】
そこで、上記課題を解決するため、本発明が第１の手段として構成したところは、移動側メンバーのスライド動作をロックするロック部材と、該ロック部材のロックを解除するロック解除プレートを有するスライドレールにおいて、ロック解除プレートは、引き出し方向の端部が操作されも、引き出し等の収納方向へのロックのみしか解除できない構成とし、引き出し方向へのロック解除は、ロック部材を指先で直接操作するものである。
【０００７】
そして、上記課題を解決するため、本発明が第２の手段として構成したところは、第１の手段として構成したところに加え、ロック解除プレートは、移動側メンバーの引き出し側端部と面一となるまで引き出し側端部が押し込まれても、引き出し等の引き出し方向へのロックは解除できないものである。
【０００８】
又、上記課題を解決するため、本発明が第３の手段として構成したところは、ロック解除プレートは、最も押し込まれた状態であっても、引き出し等の引き出し方向へのロックは解除できない移動量に構成されているものである。
【発明の効果】
【０００９】
本発明のスライドレールは、第１の手段によると、引き出し等の収納方向へのロック解除はロック解除プレートの引き出し側端部を指先で操作する構成であるので、操作途中でロックが解除されて、急激の引き出し等が収納されても、指詰めを起こす心配がなく、作業を安全、容易に行うことができる。
又、引き出し方向へのロック解除はロック部材を指先で直接操作する構成としているので、引き出し等の左右のロック部材のロック解除は、両腕を引き出し等の左右後部に伸ばした状態で、すなわち、自然と引き出し等を抱きかかえる姿勢でロック部材を操作し、引き出し等を抜き出すことになるので、急激に負荷があっても、引き出し等を落下させる恐れがなく、安全に作業ができる。
【００１０】
そして、第２の手段によると、上記効果に加え、ロック解除プレートの引き出し側端部は、移動側メンバーの引き出し側端部と面一となるまで押し込まれても、引き出し等の引き出し方向へのロックは解除できない構成としているので、指先が移動側メンバーの引き出し側端部に当接するまで（押し込み動作ができなくなるまで）押し込めば、引き出し等は自然と収納されていくので、操作が非常に容易である。
又、ロック解除プレートの押し込み操作の後、誤って、引き出し等を抜き出す恐れもなく、安心して使用することができる。
【００１１】
さらに、第３の手段によると、前記第１の手段による効果に加え、ロック解除プレートは、最も押し込まれた状態であっても、引き出し等の引き出し方向へのロックは解除できない移動量に構成されているので、引き出し方向のロック解除は、直接指先でロック部材を操作しなければ、引き出し方向のロックは解除されないので、引き出し等の抜き出し作業は、確実に意識して行われるので、不測に抜き出されて事故を起こすような事もない。
【図面の簡単な説明】
【００１２】
【図１】図１は本発明の外側方向からの斜視図である。
【図２】図２は本発明の内側方向からの斜視図である。
【図３】図３は本発明の要部縦断面図である。
【図４】図４はロック解除プレートの外側方向からの分解斜視図である。
【図５】図５はロック部材の斜視図である。
【図６】図６はロック解除プレートの内側方向からの分解斜視図である。
【図７】図７はロック状態の外側方向からの側面図である。
【図８】図８はロック解除状態の外側方向からの側面図である。
【発明を実施するための形態】
【００１３】
本発明は、移動側メンバーのスライド動作をロックするロック部材と、該ロック部材のロックを解除するロック解除プレートを有し、ロック解除プレートは、移動側メンバーの引き出し側端部と面一となるまで、引き出し側端部が押し込まれても、引き出し等の引き出し方向へのロックは解除できない構成とし、引き出し方向へのロック解除はロック部材を指先で直接操作するものである。
【実施例】
【００１４】
以下、実施例を図面に基づいて説明する。
図１〜図３において、符号１００はロック解除機能を有する本発明のスライドレールを示し、スライドレール１００は、固定側メンバー１と、固定側メンバー１にボールリテーナー４に回転自在に保持されたボール４４・・・を介して摺動自在に保持された中間メンバー２と、中間メンバー２にボールリテーナー５に回転自在に保持されたボール５４・・・を介して摺動自在に保持された移動側メンバー３を有している。
以後、図１で左上方向を引出し側、右下方向を収納側として説明する。
【００１５】
すなわち、固定側メンバー１は、基板１０と、上下折曲縁１１、１１よりチャンネル型に形成され、上下折曲縁１１、１１内面と中間メンバー２の外面間に位置する複数個のボール４４・・・を介して、中間メンバー２を摺動自在に保持している。複数個のボール４４・・・は、固定側メンバー１のほぼ半分程度の長さとなした略Ｃ字形のボールリテーナー４・・・に回転自在に保持されている。
【００１６】
そして、固定側メンバー１の基板１０の後端部には、移動側メンバー３の収納状態を保持する弾性材からなる移動側メンバー収納保持部１４がもうけられ、固定側メンバー１の後端内面側には、中間メンバー２が完全に固定側メンバー１に収納されたときに、その後端面が当接する合成樹脂材からなるストッパー部材１５が取付けられ、基板１０の前端部には前記ボールリテーナー４の引出し方向への移動範囲を規制するリテーナー前ストッパー（図示せず。）が形成されている。
【００１７】
中間メンバー２は、固定側メンバー１とほぼ同長で、基板２０と上下折曲縁２１、２１より固定側メンバー１と同方向の略チャンネル型に形成され、上下折曲縁２１、２１の外面に、摺動方向に渡って前記ボール４４・・・が転動する外面側ボール摺動溝を有し、上下折曲縁２１、２１の内面に、摺動方向に渡ってボール５４・・・が転動するボール摺動溝を有している。
そして、基板２０の後端部には、中間メンバー２から移動側メンバー３が所定位置まで引き出された状態で、中間メンバー２が固定側メンバー１に対し最も引き出されたときに、固定側メンバー１に形成された収納ストッパー１６に当接して、中間メンバー２の収納方向への摺動を阻止する回動ラッチ部材２２を有している。
【００１８】
さらに、中間メンバー２の最大引出し時に、前記固定側メンバー１のリテーナー前ストッパー（図示せず。）に前端部が当接したボールリテーナー４の後端に当接して、中間メンバー２の最大引出し量を規制するリテーナー後ストッパー（図示せず。）が形成され、基板２０の前端部に、移動側メンバー３を中間メンバー２から抜き出した時、ボールリテーナー５の前端部が当接する前端案内部材６が設けられている。
【００１９】
移動側メンバー３は、固定側メンバー１とほぼ同長に形成され、ボールリテーナー５に保持されたボール５４・・・を介して摺動自在な大きさで、金属製の細条板の短手両端部を外向き円弧状に折り曲げて形成された、外面長手方向にボール５４・・の摺動面を有する上下折曲縁３１、３１と基板３０より断面略Ｃ字型に形成されている。
【００２０】
そして、移動側メンバー３の最大引き出し時に中間メンバー２の前端部に設けられた前端案内部材６のロック用係合突起６１に係合し、移動側メンバー３の中間メンバー２に対する摺動状態がロックされるロック部材７が、移動側メンバー３の摺動方向やや後端部に回動自在に設けられ、ロック部材７の前側にはロック部材７に作用して、移動側メンバー３の収納方向へのロック状態を解除するロック解除プレート８００が設けられている。
【００２１】
一方のボールリテーナー４は、帯状金属板にて固定側メンバー１の半分程度の長さとし、前記固定側メンバー１と中間メンバー２の基板１０、２０間に挿入可能な大きさのコ字形基板４０と、コ字形基板４０の両端部よりＬ字形に突出し、固定側メンバー１と中間メンバー２の各上下折曲縁１１、１１、２１、２１間に位置する上下突出縁４１、４１より断面略コ字形に形成され、上下突出縁４１、４１の摺動方向に複数個のボール４４・・・を回転自在に保持している。
【００２２】
他方のボールリテーナー５は、帯状金属板にて中間メンバー２の半分程度の長さとし、前記中間メンバー２と移動側メンバー３の基板２０、３０間に挿入可能な大きさのコ字形基板５０と、コ字形基板５０の両端部よりＬ字形に突出し、中間メンバー２と移動側メンバー３の各上下折曲縁２１、２１、３１、３１間に位置する上下突出縁５１、５１より断面略コ字形に形成され、上下突出縁５１、５１の摺動方向に複数個のボール５４・・・を回転自在に保持している。
【００２３】
ロック部材７は、合成樹脂材より一体に形成され、常に移動側メンバー３の上折曲縁３１の内面に接触しながら摺動する係合操作部７１と、係合操作部７１の下面と所定間隔を有し、前端下面が常に移動側メンバー３の下折曲縁３１に弾性的に当接して、係合操作部７１を常に移動側メンバー３の上折曲縁３１の内面に接触するよう付勢する弾性脚部７２と、弾性脚部７２と係合操作部７１の後端の連続箇所に位置する取付回動部７３より構成されている。
【００２４】
そして、取付回動部７３には移動側メンバー３の基板３０に回動自在に取付けるための
回動用取付孔７３１が形成され、係合操作部７１の前後方向略中央部上面には、移動側メンバー３が引き出された時、前端案内部材６のロック用係合突起６１に係合して移動側メンバー３をロック状態とするロック用係合凹部７１１が形成され、ロック用係合凹部７１１の前側には、下方に傾斜するロック解除案内傾斜面７１２が形成され、ロック用係合凹部７１の後側には、下方に傾斜する回動逃がし用傾斜面７１３が形成され、回動用取付孔７３１を貫挿し、移動側メンバー３の基板３０に連結される回動保持ピン７０にて、移動側メンバー３の基板３０の後部内面に回動自在に取り付られる。
尚、ロック用係合凹部７１１は、ロック用係合突起６１に係合し、回動逃がし用傾斜面７１３の引き出し側端部が移動側メンバー３の上折曲縁３１の内面に当接した状態で、ロック解除案内傾斜面７１２の収納側端部は上折曲縁３１の内面と所定間隔を有する深さに形成されている。
【００２５】
ロック部材７に作用して、移動側メンバー３の収納方向へのロック状態を解除するロック解除プレート８００は、ロック部材７に直接作用するロック解除部材８と、ロック解除部材８に間接的に作用する先端操作部材９と、先端操作部材９とロック解除部材８を所望の長さで連結する中間連結部材８０１から構成されている。
【００２６】
先端操作部材９は、移動側メンバー３に取付けられた状態で、移動側メンバー３の前端部の前方に所定寸法位置して中間メンバー２方向に突出する操作部９１と、操作部９１の収納側で移動側メンバー３の内面にスライド自在に連結される操作部基板９２より、合成樹脂材より一体に形成されている。
【００２７】
操作部９１は、指先で押圧されて収納方向に所定寸法移動し、移動側メンバー３の基板３０の引き出し側端面とほぼ面一となり、それ以上の押圧ができなくなった状態で、ロック解除部材８がロック部材７に作用して、スライドレール１００の引き出し方向へのロック状態は解除されず、収納方向へのロック状態のみが解除され、移動側メンバー３と共に収納方向に移動し、移動側メンバー３が完全に収納されると、収納側端面が、中間メンバー２（前端案内部材６）の引き出し側端面によって、強制的に押し戻されて、操作部９１の引き出し側端面は、移動側メンバー３の引き出し側端部から所定寸法前方に位置し、ロック部材７はロック可能姿勢に復帰する。
【００２８】
操作部基板９２は、移動側メンバー３が中間メンバー２に対し摺動する際、中間メンバー２に設けられた前端案内部材６のロック係合突起６１が接触しないよう、扁平に形成した摺動用前扁平部９２１を上端部に有し、上下方向中央部後端には、摺動方向に長いスライド用前連結孔９２２が形成され、収納側（ロック解除部材８側）端部下端の移動側メンバー３の基板３０側には前記中間連結部材８０１を着脱自在に連結するための前被連結部９０が形成されている。
前被連結部９０は、下端と収納側端面が開口する連結用前切欠き部９２３と、連結用前切欠き部９２３の上端に下方に突出して設けられた半円形の前連結突部９２４より構成されている。
【００２９】
ロック解除部材８は、移動側メンバー３の基板３０の内面にスライド自在に連結される解除部基板８１の後端面に、ロック部材７のロック解除案内傾斜面７１２に対応して形成され、移動側メンバー３に取付けられた状態で常にロック解除案内傾斜面７１２に当接するロック解除操作用傾斜面８２を有している。
【００３０】
そして、移動側メンバー３が中間メンバー２に対し摺動する際、中間メンバー２に設けられた前端案内部材６のロック係合突起６１が接触しないよう、扁平に形成した摺動用後扁平部８１１を解除部基板８１の上端部に有し、上下方向中央部後端には、摺動方向に長いスライド用後連結孔８１２が形成され、引き出し側（先端操作部材９側）端部下端の移動側メンバー３の基板３０側には前記中間連結部材８０１を着脱自在に連結するための後被連結部８０が形成されている。
後被連結部８０は、下端と引き出し側端部が開口する連結用後切欠き部８１３と、連結用後切欠き部８１３の上端に下方に突出して設けられた半円形の後連結突部８１４より構成されている。
【００３１】
先端操作部材９とロック解除部材８を所望の長さで連結する中間連結部材８０１は、金属板にて、前記連結用前切欠き部９２３、連結用後切欠き部８１３に合致する厚みと大きさを有する扁平角棒状に形成され、引き出し側端部と収納側端部に同形の前後連結部８０２、８０３が形成されている。
そして、前後連結部８０２、８０３は前記前連結突部９２４、後連結突部８１４に嵌合する半円形の凹部から形成されている。
【００３２】
すなわち、前連結突部９２４と後連結突部８１４に前後連結部８０２、８０３が嵌合することで、両端部が連結用前後切欠き部８１３、９２４に埋設された状態で移動側メンバー３の基板３０側に位置し、先端操作部材９とロック解除部材８は中間連結部材８０１と一体に着脱自在に連結されてロック解除プレート８００が形成され、スライド用前後連結孔９２２、８１２を貫挿し、移動側メンバー３の基板３０に連結されるスライド保持ピン６０、６０にて、移動側メンバー３に取付けられたロック部材７のロック解除案内面７１２にロック解除操作用傾斜面８２が密着するよう移動側メンバー３の基板３０の内面に所定範囲でスライド自在に取付られる。
この状態で、中間連結部材８０は移動側メンバー３の基板３０と先端操作部材９とロック解除部材の前後端部と下折曲縁３１の内面で支持された状態となり、上下厚み方向に不測に移動することはない。
【００３３】
本発明は、上記のごとく構成され、固定側メンバー１に中間メンバー２及び移動側メンバー３が収納された状態で、中間メンバー２の収納側端面は固定側メンバー１の後端部に設けられたストッパー部材１５に当接して停止し、移動側メンバー３の後端部は、中間メンバー２の後端部から収納側に突出して、固定側メンバー１に設けられた移動側メンバー収納保持部１４を上下折曲縁３１、３１の内面側で弾性的に挟持し、固定側メンバー１に保持されている。
【００３４】
この時、ロック解除プレート８００の先端操作部９に形成された操作部９１は、収納側端面が、中間メンバー２（前端案内部材６）の引き出し側端面によって、引き出し方向に押し出され、操作部９１の引き出し側端面は、移動側メンバー３の引き出し側端部から所定寸法前方に位置し、ロック部材７はロック可能姿勢となっている。
【００３５】
この状態から、移動側メンバー３と中間メンバー２が引き出され、中間メンバー２から移動側メンバー３が所定位置まで引き出された状態で、中間メンバー２が固定側メンバー１に対し最も引き出された状態になったとき、回動ラッチ部材２２が下方に回動して収納側端面が固定側メンバー１の収納ストッパー１６の引き出し側に位置して、収納ストッパー１６にラッチ部材２２が係止することで、中間メンバー２は固定側メンバー１にロックされて引き出し方向にも収納方向にも摺動しない。
【００３６】
さらに、中間メンバー２に対して移動側メンバー３が引出されると、ロック部材７のロック用係合凹部７１１が前端案内部材６のロック用係合突起６１に係合して移動側メンバー３をロック状態とし、スライドレール１００は最も伸長した状態を維持し、この状態で、移動側メンバー３と連結された引き出しの利用（引き出し内部への収納、内部からの取り出し、あるいは内部の整理、整頓等）、あるいは機器類の点検等を行う。
【００３７】
そして、作業終了後、左右の移動側メンバー３、３のロック解除プレート８００、８００の操作部９１、９１を指先で収納方向に押し込み、ロック解除操作用傾斜面８２を収納方向に所定距離移動させると、これに当接するロック解除案内傾斜面７１２は下方に変移し、係合操作部７１を押し下げて、ロック用係合凹部７１１のロック解除案内傾斜面７１２側の上端が、ロック用係合突起６１の下方に位置するので、移動側メンバー３の収納方向へのロック状態が解除され、移動側メンバー３は中間メンバー２に収納されていく。
この時、指先はロック解除プレート８００の引き出し側端部に位置しているので、引き出しの収納時、指詰めをおこす心配がない。
【００３８】
さらに、移動側メンバー３が収納されていくと、やがて移動側メンバー３の下折曲縁３１の収納側端部が、ラッチ部材２２の収納側端部を押し上げて上方に回動させ、収納ストッパー１６との係止状態を解除し、同時に中間メンバー２も収納方向に移動し、やがて、中間メンバー２の上下折曲縁２１、２１の収納側端面がストッパー部材１５に当接して中間メンバー２の摺動は停止し、中間メンバー２の引き出し側端面と固定側メンバー１の引き出し側端面はほぼ一致する。
【００３９】
そして、移動側メンバー３をさらに収納側に摺動させると、移動側メンバー３の後端部は、中間メンバー２の後端部から収納側に突出して、固定側メンバー１に設けられた移動側メンバー収納保持部１４を上下折曲縁３１、３１の内面側で弾性的に挟持し、固定側メンバー１に保持される。
【００４０】
この時、ロック解除プレート８００の操作部９１の収納側端面が、中間メンバー２（前端案内部材６）の引き出し側端面によって、強制的に押し戻されて、操作部９１の引き出し側端面は、移動側メンバー３の引き出し側端部から所定寸法前方に位置し、ロック部材７はロック可能姿勢に復帰する。
【００４１】
一方、修理等のため、引き出しあるいは機器類を移動側メンバー３と共にスライドレール１００より取り外す必要があるときは、左右の移動側メンバー３、３に設けられたロック部材７、７まで両腕を伸ばして指先で係合操作部７１、７１の引き出し側端部を同時に下方に押し下げ、ロック用係合突起６１、６１の下方にロック用係合凹部７１１，７１１の収納側端部上端（回動逃がし用傾斜面７１３，７１３の引き出し側端部）を位置させた状態を維持しながら、左右の移動側レール３、３と共に引き出しあるいは機器類を引き出し方向に抜き出す。
この時、移動側レール３が中間メンバー２から抜き出された事で、引き出しあるいは機器類の重量が急激に付加されても、引き出しあるいは機器類を両腕で抱きかかえるようにして保持しているので、落下させる恐れがなく安全に作業ができる。
【００４２】
尚、実施例では、本発明のスライドレール１００の基本メンバーは、固定側メンバー１と、中間メンバー２と、移動側メンバー３から構成されているが、移動側メンバー３と、移動側メンバー３を摺動自在に支持する支持メンバー（実施例では中間メンバー２）を家具等の本体側に連結して使用すれば、支持メンバーを実施例の固定側メンバー３として使用することも可能である。
【００４３】
又、実施例では、指先で押圧されて収納方向に所定寸法移動した操作部９１の引き出し側端面が、移動側メンバー３の基板３０の引き出し側端面とほぼ面一となり、それ以上の押圧ができなくなる事で、スライドレール１００の引き出し方向へのロック状態は解除されず、収納方向へのロック状態のみが解除される構成としている。
しかしながら、先端操作部材９のスライド用前連結孔９２２のスライド方向の長さを所定寸法に設定することで、先端操作部材９が最も押し込まれた状態であっても、ロック用係合凹部７１１のロック解除案内傾斜面７１２側の上端は、ロック用係合突起６１の下方に位置し、ロック用係合凹部７１１の回動逃がし用傾斜面７１３側の上端は、ロック用係合突起６１への係合状態が維持されたままとすることで、移動側メンバー３は収納方向にのみ移動可能となるように構成しても良い。
【産業上の利用可能性】
【００４４】
以上詳述したように、本発明は、ロック解除機能を有するスライドレールにかかわるものであり、ロック解除プレートは、引き出し方向の端部が操作されても、引き出し等の収納方向へのロックのみしか解除できない構成とし、引き出し方向へのロック解除は、ロック部材を指先で直接操作する構成としたので、安全で、使い勝手が良く、家具、陳列棚、複写機等のスライドレールとして広く利用することが出来る。
【符号の説明】
【００４５】
１        固定側メンバー
１００    スライドレール
２        中間メンバー
３        移動側メンバー
６        前端案内部材
６１      ロック用係合突起
７        ロック部材
７１      係合操作部
７１１    ロック用係合凹部
７１２    ロック解除案内傾斜面
７１３    回動逃がし用傾斜面
８        ロック解除部材        
８０      後被連結部
８１      解除部基板
８１３    連結用後切欠き部
８１４    後連結突部
８２      ロック解除操作用傾斜面
８００    ロック解除プレート
８０１    中間連結部材
８０２    前連結部
８０３    後連結部
９        先端操作部材
９０      前被連結部
９１      操作部
９２３    連結用前切欠き部
９２４    前連結突部
【図１】
2010220901.tif 000003
【図２】
2010220901.tif 000004
【図３】
2010220901.tif 000005
【図４】
2010220901.tif 000006
【図５】
2010220901.tif 000007
【図６】
2010220901.tif 000008
【図７】
2010220901.tif 000009
【図８】
2010220901.tif 000010